(57)【要約】【課題】印刷条件を設定するユーザの作業をより軽減することができる印刷条件設定装置、印刷条件設定方法、および印刷条件設定プログラムを提供することである。【解決手段】印刷条件を特定する複数の設定項目のうち、ユーザの操作に基づいて登録された少なくとも一つの設定項目を含む設定項目情報を複数記憶する設定項目情報記憶部と、前記設定項目情報記憶部に記憶されている複数の設定項目情報の中からのユーザによる一の設定項目情報の選択を受け付ける設定項目情報受付部と、前記ユーザにより選択された一の設定項目情報を呼び出して、当該設定項目情報に含まれる設定項目を特定の操作画面に表示させる設定項目情報呼出部と、を有する。【選択図】図４
2010003120.tif 000002
【特許請求の範囲】
【請求項１】
印刷条件を特定する複数の設定項目のうち、ユーザの操作に基づいて登録された少なくとも一つの設定項目を含む設定項目情報を複数記憶する設定項目情報記憶部と、
前記設定項目情報記憶部に記憶されている複数の設定項目情報の中からのユーザによる一の設定項目情報の選択を受け付ける設定項目情報受付部と、
前記ユーザにより選択された一の設定項目情報を呼び出して、当該設定項目情報に含まれる設定項目を特定の操作画面に表示させる設定項目情報呼出部と、を有することを特徴とする印刷条件設定装置。
【請求項２】
前記設定項目の設定値を含む設定情報を複数記憶する設定情報記憶部と、
前記複数の設定情報の中から一の設定情報を呼び出して、当該一の設定情報に含まれる設定値を前記設定項目に反映させる設定情報呼出部と、をさらに有することを特徴とする請求項１に記載の印刷条件設定装置。
【請求項３】
前記設定項目情報を前記設定情報と関連付けて記憶させるか否かについてのユーザの選択を受け付ける関連付受付部をさらに有し、
前記設定項目情報を前記設定情報と関連付けて記憶させることがユーザにより選択された場合、前記設定項目情報は、前記設定情報と関連付けて前記設定項目情報記憶部に記憶されることを特徴とする請求項２に記載の印刷条件設定装置。
【請求項４】
前記設定項目情報と前記設定情報とが関連付けて記憶されているか否かをユーザに識別させるための識別子を付与する識別子付与部をさらに有することを特徴とする請求項３に記載の印刷条件設定装置。
【請求項５】
前記特定の操作画面上における前記設定項目の位置を特定する位置情報を記憶する位置情報記憶部と、
前記位置情報に基づいて、前記特定の操作画面上に前記設定項目を表示させる操作画面構築部と、をさらに有することを特徴とする請求項１に記載の印刷条件設定装置。
【請求項６】
ユーザによる前記設定項目の選択を受け付ける設定項目受付部と、
前記選択された設定項目を前記設定項目情報に登録する第１の設定項目登録部と、をさらに有することを特徴とする請求項１に記載の印刷条件設定装置。
【請求項７】
前記設定項目の設定値が初期値から変更されたか否かを判定する設定判定部と、
前記設定値が変更された設定項目を前記設定項目情報に登録する第２の設定項目登録部と、をさらに有することを特徴とする請求項１に記載の印刷条件設定装置。
【請求項８】
印刷条件を特定する複数の設定項目のうち、ユーザの操作に基づいて登録された少なくとも一つの設定項目を含む設定項目情報を設定項目情報記憶部に複数記憶させるステップと、
前記設定項目情報記憶部に記憶されている複数の設定項目情報の中からのユーザによる一の設定項目情報の選択を受け付けるステップと、
前記ユーザにより選択された一の設定項目情報を呼び出して、当該設定項目情報に含まれる設定項目を特定の操作画面に表示させるステップと、を有することを特徴とする印刷条件設定方法。
【請求項９】
印刷条件を特定する複数の設定項目のうち、ユーザの操作に基づいて登録された少なくとも一つの設定項目を含む設定項目情報を設定項目情報記憶部に複数記憶させる手順と、
前記設定項目情報記憶部に記憶されている複数の設定項目情報の中からのユーザによる一の設定項目情報の選択を受け付ける手順と、
前記ユーザにより選択された一の設定項目情報を呼び出して、当該設定項目情報に含まれる設定項目を特定の操作画面に表示させる手順と、をコンピュータに実行させる印刷条件設定プログラム。
【請求項１０】
請求項９に記載の印刷条件設定プログラムを記録したコンピュータ読み取り可能な記録媒体。
【発明の詳細な説明】
【技術分野】
【０００１】
本発明は、印刷条件設定装置、印刷条件設定方法、および印刷条件設定プログラムに関する。本発明は、特に、印刷装置における印刷機能の印刷条件を設定する印刷条件設定装置、印刷条件設定方法、および印刷条件設定プログラムに関する。
【背景技術】
【０００２】
たとえば、プリンタで実行される印刷ジョブには、ページ割付、カラー選択、印刷種類等の印刷条件に関する設定項目が適用され得る。ユーザは、ＰＣ（パーソナルコンピュータ）上でプリンタドライバと呼ばれる制御プログラムを用いて、印刷ジョブに適用される各設定項目を所望の設定値に設定することができる。プリンタドライバにより提供される設定項目は複数あり、近年、設定項目は増加する傾向にある。複数の設定項目は、ＧＵＩ画面ウインドウ上でタブが選択されることにより切り替えられる操作画面に、関連機能別に分類して表示される。したがって、ユーザが所望の印刷条件を設定するためには、まず、タブを選択して操作画面を切替えることにより所望の設定項目を表示させ、それから設定項目の設定値を変更する必要があり、印刷条件の設定作業が複雑になる場合があった。
【０００３】
この問題を解決する一つの方法として、ユーザが頻繁に設定値を変更する設定項目を特定の操作画面に集約して表示させる技術が提案されている（非特許文献１参照）。この非特許文献１の技術では、ユーザによって編集可能な操作画面に対して、ユーザが設定項目を追加または削除することにより、ユーザが頻繁に設定値を変更する設定項目を特定の操作画面に集約して表示させることができる。
【０００４】
しかしながら、たとえ、同一のユーザであっても、印刷シーンに応じて頻繁に設定値を変更する設定項目は異なってくる。したがって、ユーザが操作画面を編集して所望の設定項目を表示させていたとしても、印刷シーンが異なれば、設定項目の設定値を変更するために、タブを選択して操作画面を切替える作業が必要となる場合がある。
【非特許文献１】ＥＦＩ社製ＰｏｓｔＳｃｒｉｐｔ３プリンタコントローラのプリンタドライバ、イメージコントローラＩＣ−４０６、[online]、２００８年４月２８日、Ｋｏｎｉｃａ  Ｍｉｎｏｌｔａ、インターネット<URL:http://konicaminolta.jp/business/download/copiers/efi/detail.html>
【発明の開示】
【発明が解決しようとする課題】
【０００５】
本発明は、上述した課題に鑑みてなされたものである。したがって、本発明の目的は、印刷条件を設定するユーザの作業をより軽減することができる印刷条件設定装置、印刷条件設定方法、および印刷条件設定プログラムを提供することである。
【課題を解決するための手段】
【０００６】
本発明の上記目的は、下記の手段によって達成される。
【０００７】
（１）印刷条件を特定する複数の設定項目のうち、ユーザの操作に基づいて登録された少なくとも一つの設定項目を含む設定項目情報を複数記憶する設定項目情報記憶部と、前記設定項目情報記憶部に記憶されている複数の設定項目情報の中からのユーザによる一の設定項目情報の選択を受け付ける設定項目情報受付部と、前記ユーザにより選択された一の設定項目情報を呼び出して、当該設定項目情報に含まれる設定項目を特定の操作画面に表示させる設定項目情報呼出部と、を有することを特徴とする印刷条件設定装置。
【０００８】
（２）前記設定項目の設定値を含む設定情報を複数記憶する設定情報記憶部と、前記複数の設定情報の中から一の設定情報を呼び出して、当該一の設定情報に含まれる設定値を前記設定項目に反映させる設定情報呼出部と、をさらに有することを特徴とする上記（１）に記載の印刷条件設定装置。
【０００９】
（３）前記設定項目情報を前記設定情報と関連付けて記憶させるか否かについてのユーザの選択を受け付ける関連付受付部をさらに有し、前記設定項目情報を前記設定情報と関連付けて記憶させることがユーザにより選択された場合、前記設定項目情報は、前記設定情報と関連付けて前記設定項目情報記憶部に記憶されることを特徴とする上記（２）に記載の印刷条件設定装置。
【００１０】
（４）前記設定項目情報と前記設定情報とが関連付けて記憶されているか否かをユーザに識別させるための識別子を付与する識別子付与部をさらに有することを特徴とする上記（３）に記載の印刷条件設定装置。
【００１１】
（５）前記特定の操作画面上における前記設定項目の位置を特定する位置情報を記憶する位置情報記憶部と、前記位置情報に基づいて、前記特定の操作画面上に前記設定項目を表示させる操作画面構築部と、をさらに有することを特徴とする上記（１）に記載の印刷条件設定装置。
【００１２】
（６）ユーザによる前記設定項目の選択を受け付ける設定項目受付部と、前記選択された設定項目を前記設定項目情報に登録する第１の設定項目登録部と、をさらに有することを特徴とする上記（１）に記載の印刷条件設定装置。
【００１３】
（７）前記設定項目の設定値が初期値から変更されたか否かを判定する設定判定部と、前記設定値が変更された設定項目を前記設定項目情報に登録する第２の設定項目登録部と、をさらに有することを特徴とする上記（１）に記載の印刷条件設定装置。
【００１４】
（８）印刷条件を特定する複数の設定項目のうち、ユーザの操作に基づいて登録された少なくとも一つの設定項目を含む設定項目情報を設定項目情報記憶部に複数記憶させるステップと、前記設定項目情報記憶部に記憶されている複数の設定項目情報の中からのユーザによる一の設定項目情報の選択を受け付けるステップと、前記ユーザにより選択された一の設定項目情報を呼び出して、当該設定項目情報に含まれる設定項目を特定の操作画面に表示させるステップと、を有することを特徴とする印刷条件設定方法。
【００１５】
（９）印刷条件を特定する複数の設定項目のうち、ユーザの操作に基づいて登録された少なくとも一つの設定項目を含む設定項目情報を設定項目情報記憶部に複数記憶させる手順と、前記設定項目情報記憶部に記憶されている複数の設定項目情報の中からのユーザによる一の設定項目情報の選択を受け付ける手順と、前記ユーザにより選択された一の設定項目情報を呼び出して、当該設定項目情報に含まれる設定項目を特定の操作画面に表示させる手順と、をコンピュータに実行させる印刷条件設定プログラム。
【００１６】
（１０）上記（９）に記載の印刷条件設定プログラムを記録したコンピュータ読み取り可能な記録媒体。
【発明の効果】
【００１７】
本発明の印刷条件設定装置、印刷条件設定方法、および印刷条件設定プログラムによれば、複数の設定項目情報の中から所望の設定項目情報をユーザが選択することにより、特定の操作画面に所望の設定項目を表示させることができるので、ユーザは操作画面を切替えることなく、設定項目の設定値を容易に変更することができる。つまり、印刷条件を設定するユーザの作業をより軽減することができる。
【発明を実施するための最良の形態】
【００１８】
以下、図面を参照して、本発明の実施形態を詳細に説明する。
【００１９】
図１は、本発明の一実施形態にかかる印刷システムの全体構成を示すブロック図である。
【００２０】
図１に示されるとおり、本実施形態にかかる印刷システムは、ＰＣ１とプリンタ２とを備える。ＰＣ１とプリンタ２とは、ネットワーク３を介して相互に通信可能に接続されている。
【００２１】
ネットワーク３は、たとえば、イーサネット（登録商標）、トークンリング、およびＦＤＤＩ等の規格によりコンピュータやネットワーク機器同士を接続したＬＡＮ、またはＬＡＮ同士を専用線で接続したＷＡＮ等の各種のネットワークからなる。なお、ネットワーク３に接続される機器の種類および台数は、図１に示される例に限定されない。
【００２２】
図２は、図１に示されるＰＣの構成を示すブロック図である。印刷条件設定装置としてのＰＣ１は、ＣＰＵ１１、ＲＯＭ１２、ＲＡＭ１３、ハードディスク１４、ディスプレイ１５、入力装置１６、および通信インタフェース１７を含み、これらは信号をやり取りするためのバス１８を介して相互に接続されている。
【００２３】
ＣＰＵ１１は、プログラムにしたがって上記各部の制御や各種の演算処理を実行する。ＲＯＭ１２は、各種プログラムおよび各種データを格納する。ＲＡＭ１３は、作業領域として一時的にプログラムおよびデータを記憶する。ハードディスク１４は、オペレーティングシステムを含む各種プログラム、および各種データを格納する。
【００２４】
ディスプレイ１５は、たとえば、ＣＲＴあるいはＬＣＤであり、各種の情報を表示する。入力装置１６は、マウス等のポインティングデバイス、およびキーボードであり、各種の入力を行うために使用される。
【００２５】
通信インタフェース１７は、ネットワーク３を介してプリンタ２等の他の機器と通信するためのインタフェースであり、イーサネット（登録商標）、トークンリング、ＦＤＤＩ等の規格によるネットワークインタフェースのほか、ＵＳＢ、ＩＥＥＥ１３９４等のシリアルインタフェース、ＳＣＳＩ、ＩＥＥＥ１２８４等のパラレルインタフェース、Ｂｌｕｅｔｏｏｔｈ（登録商標）、ＩＥＥＥ８０２．１１、ＨｏｍｅＲＦ、ＩｒＤＡ等の無線通信インタフェース等の各種ローカル接続インタフェース、電話回線に接続するための電話回線インタフェース等が用いられ得る。
【００２６】
ハードディスク１４には、文書ファイル作成アプリケーションと、プリンタドライバとがインストールされている。プリンタドライバは、後述する印刷設定画面を用いたユーザの操作に基づいて印刷条件に関する各項目を設定するとともに、文書ファイル作成アプリケーションから渡されたデータに基づいて、プリンタ２で処理可能な形式の印刷データを生成する。
【００２７】
図３は、プリンタドライバがインストールされているＰＣのモジュール構成を示す図である。
【００２８】
図３に示すとおり、ＰＣ１では、ＯＳ（オペレーティングシステム）の管理下でプリンタドライバが稼働する。プリンタドライバは、ユーザインタフェースモジュールおよびグラフィック処理モジュールを有し、ユーザインタフェースモジュールは、Ｍｙタブ処理モジュール、お気に入り処理モジュール、およびＵＩ表示モジュールを有する。Ｍｙタブ処理モジュールは、Ｍｙタブ機能追加処理およびＭｙタブ画面構成復元処理を実行する。お気に入り処理モジュールは、お気に入り設定保存処理（Ｍｙタブ画面構成情報保存処理）およびお気に入り設定呼び出し処理（Ｍｙタブ画面構成情報呼出処理）を実行する。各モジュールの処理の詳細については後述する。
【００２９】
図４は、プリンタドライバによってディスプレイに表示される印刷設定画面の一例を示す図である。図４に示されるとおり、印刷設定画面１００は、操作画面を切り替えるための複数のタブ１０１〜１０８と、お気に入り設定を保存するための追加ボタン１０９と、お気に入り設定を呼び出すためのリストボックス１１０と、を有する。
【００３０】
複数のタブ１０１〜１０８は、一般的なタブ１０１〜１０７とＭｙタブ１０８とを有する。複数のタブ１０１〜１０８には操作画面が関連付けられており、タブが選択されることにより操作画面が切り替えられる。一般的なタブ１０１〜１０７に対応する操作画面には、印刷条件を特定する複数の設定項目が機能別に分類されて表示される。Ｍｙタブ１０８に対応する操作画面（以下、Ｍｙタブ画面と称する）には、一般的なタブ１０１〜１０７に対応する操作画面に表示される複数の設定項目のうち、ユーザの操作により登録される少なくとも一つの設定項目が表示される。本図の例では、Ｍｙタブ画面には、スタンプ／フォームタブ１０５の操作画面から登録された「スタンプ」１１１、仕上げタブ１０３の操作画面から登録された「ステープル」１１２、レイアウトタブ１０２の操作画面から登録された「印刷種類」１１３および「ページ割付」１１４が表示されている。Ｍｙタブ画面は、ユーザにより編集可能に構成されており、ユーザの選択に基づいて設定項目が登録される。なお、設定項目をＭｙタブ画面に登録する手法については後述する。Ｍｙタブ画面に表示される一の設定項目と、一般的なタブ１０１〜１０７に対応する操作画面に表示される同一の設定項目とは連動している。一方の操作画面において設定項目の設定値が変更されれば、他方の操作画面における設定項目の設定値も変更される。
【００３１】
追加ボタン１０９は、現在の印刷設定画面１００の設定情報をＭｙタブ画面の画面構成情報とともにお気に入り設定として保存するためのものである。リストボックス１１０は、予め保存されている複数のお気に入り設定の一覧を表示して、一のお気に入り設定をユーザに選択させるためのものである。
【００３２】
また、印刷設定画面１００には、お気に入り設定を保存後に編集するための編集ボタン１１５、およびＭｙタブ画面の画面構成を編集するためのＭｙタブの編集ボタン１１６等の各種操作ボタンが設けられている。
【００３３】
図５は、お気に入り設定として保存される情報の一例を示す図である。
【００３４】
図５に示されるとおり、お気に入り設定として保存される情報を示す機能情報登録リストは、お気に入り情報、設定情報、画面構成登録情報、およびＭｙタブ画面構成情報を含む。お気に入り情報は、お気に入り設定の名称（たとえば、「スタンプ＋ステープル」）を含む。設定情報は、印刷条件を特定する複数の設定項目の設定値（用紙サイズ＝Ａ４、Ｎｉｎ１＝２ｉｎ１等）を含む。画面構成登録情報は、お気に入り設定の呼び出し時に、Ｍｙタブ画面構成情報を呼び出すか否かについての情報を含む。Ｍｙタブ画面構成情報は、Ｍｙタブ画面に集約して表示される設定項目（たとえば、「スタンプ」、「ステープル」、「印刷種類」、「ページ割付」）を含む設定項目情報と、Ｍｙタブ画面上における設定項目の位置（ＲまたはＬ）を特定する位置情報とを含む。
【００３５】
図６は、図１に示されるプリンタ２の構成を示すブロック図である。プリンタ２は、ＣＰＵ２１、ＲＯＭ２２、ＲＡＭ２３、ハードディスク２４、操作パネル２５、印刷部２６、および通信インタフェース２７を含み、これらの各部は信号をやり取りするためのバス２８を介して相互に接続されている。なお、プリンタ２の上記各部のうち、ＰＣ１の上記各部と同様の機能を有する部分については、説明の重複を避けるためその説明を省略する。
【００３６】
操作パネル２５は、タッチパネル、テンキー、スタートボタン、およびストップボタン等の要素を備えており、各種情報の表示および各種指示の入力に使用される。印刷部２６は、電子写真式プロセス等の周知の作像プロセスを用いて、各種データを用紙等の記録媒体上に印刷する。
【００３７】
なお、ＰＣ１およびプリンタ２は、それぞれ、上記構成要素以外の構成要素を含んでいてもよく、あるいは、上記構成要素のうちの一部が含まれていなくてもよい。
【００３８】
以上のように構成される本実施形態における印刷システムにおいて、プリンタ２で実行される印刷ジョブには、ページ割付、カラー選択、印刷種類等の印刷条件に関する設定項目が適用され得る。ユーザは、ＰＣ１のディスプレイ１５に表示される印刷設定画面１００において所望のお気に入り設定を呼び出し、必要に応じて設定項目の設定値を変更することにより印刷条件を設定する。
【００３９】
以下、図７〜図１１を参照しつつ、ＰＣ１において印刷条件のお気に入り設定を呼び出す処理について説明する。なお、図７のフローチャートにより示されるアルゴリズムは、ＰＣ１のハードディスク１４等の記憶部にプログラムとして記憶されており、ＣＰＵ１１によって実行される。
【００４０】
まず、印刷設定画面１００が表示される（ステップＳ１０１）。印刷設定画面１００は、アプリケーションから印刷時に開かれてもよく、プリンタドライバのプロパティから開かれてもよい。本実施形態の印刷設定画面１００は、デフォルト設定としてＭｙタブ１０８が選択されている。なお、本実施形態におけるデフォルト設定のＭｙタブ画面には設定項目が登録されていない。しかしながら、本実施形態とは異なり、デフォルト設定のＭｙタブ画面には、複数の設定項目が予め登録されていてもよい。
【００４１】
次に、お気に入り設定の一覧の表示指示が受け付けられる（ステップＳ１０２）。本実施形態では、プルダウン式メニューになっているリストボックス１１０の右側のボタンが押される（クリックされる）ことにより、お気に入り設定の一覧の表示指示が受け付けられる。
【００４２】
次に、お気に入り設定の一覧が表示される（ステップＳ１０３）。本実施形態では、図８に示されるとおり、お気に入りリストボックス１１０に予め登録されている複数のお気に入り設定の一覧が表示される。ここで、Ｍｙタブ画面構成情報を含むお気に入り設定には、お気に入り設定がＭｙタブ画面構成情報を含んでいることをユーザに識別させるための識別子１１７が付与されている。
【００４３】
次に、ユーザによるお気に入り設定の選択が受け付けられる（ステップＳ１０４）。本実施形態では、図８に示されるお気に入り設定の一覧の中から、一のお気に入り設定がクリックされることにより、一のお気に入り設定の選択が受け付けられる。
【００４４】
次に、選択されたお気に入り設定が呼び出される（ステップＳ１０５）。本実施形態では、ステップＳ１０４に示す処理で選択されたお気に入り設定の機能情報登録リストがハードディスク１４から呼び出され、ＲＡＭ１３に展開される。
【００４５】
そして、呼び出されたお気に入り設定が、Ｍｙタブ画面構成情報を含むか否かが判断される（ステップＳ１０６）。本実施形態では、ステップＳ１０５に示す処理で呼び出された機能情報登録リストにおける画面構成登録情報のＯｎ／Ｏｆｆを判定することにより、お気に入り設定がＭｙタブ画面構成情報を含むか否かが判断される。お気に入り設定が、Ｍｙタブ画面構成情報を含まない場合（ステップＳ１０６：ＮＯ）、お気に入り設定の機能情報登録リストに登録されている設定値が各設定項目に反映され（ステップＳ１０８）、処理が終了される。本実施形態では、図９に示されるとおり、Ｍｙタブ画面はデフォルト設定のまま、一般的なタブ１０１〜１０７に対応する操作画面に表示される設定項目に、お気に入り設定の設定値が反映される。
【００４６】
一方、お気に入り設定がＭｙタブ画面構成情報を含む場合（ステップＳ１０６：ＹＥＳ）、お気に入り設定の機能情報登録リストのＭｙタブ画面構成情報に基づいてＭｙタブ画面の画面構成が復元される（ステップＳ１０５）。本実施形態では、図１０に示されるとおり、Ｍｙタブ画面構成情報に含まれる「スタンプ」、「ステープル」、「印刷種類」、および「ページ割付」の４つの設定項目がＭｙタブ画面に表示される。より具体的には、お気に入り設定の位置情報に基づいて、Ｍｙタブ画面の左側に「スタンプ」および「ステープル」が表示され、右側に「印刷種類」および「ページ割付」が表示される。そして、お気に入り設定の設定値が設定項目に反映され（ステップＳ１０８）、処理が終了される。
【００４７】
以上のとおり、図７に示すフローチャートの処理によれば、予め記憶されている複数のお気に入り設定の中から一のお気に入り設定が呼び出されて、お気に入り設定に登録されている設定値が設定項目に反映される。また、お気に入り設定がＭｙタブ画面構成情報を含む場合、設定項目に設定値が反映されるとともに、お気に入り設定として記憶されている設定項目がＭｙタブ画面に表示される。
【００４８】
したがって、ユーザは、印刷シーンに応じて、複数のお気に入り設定の中から所望のお気に入り設定を選択することにより、Ｍｙタブ画面に所望の設定項目を表示させることができる。たとえば、ユーザは、印刷シーンに応じて、図１１に示されるような「ページ割付」、「印刷種類」、「カラー選択」、および「トナー節約」の４つの設定項目をＭｙタブ画面に表示させることができる。そして、ユーザは、Ｍｙタブ画面に表示される設定項目の設定値を必要に応じて変更することにより、タブを選択して操作画面を切替えることなく、印刷条件を設定することができる。
【００４９】
たとえば、ユーザが会議資料を作成する印刷シーンでは、ユーザは、資料を試し印刷し、必要に応じて内容を修正したのち、最終的な資料を印刷する。このような印刷シーンにおいて、ユーザは、まず、複数のお気に入り設定の中から「スタンプ＋ステープル」という名称のお気に入り設定を選択して、「スタンプ」、「ステープル」、「印刷種類」、および「ページ割付」の４つの設定項目をＭｙタブ画面に表示させる。
【００５０】
次に、ユーザは、Ｍｙタブ画面において、「スタンプ」の設定値が［社外秘］かつ「ステープル」の設定値が「Ｏｆｆ」になっていることを確認する。そして、印刷用紙を節約するために、ユーザは、「印刷種類」の設定値が「両面」になっていることを確認し、資料のページ数等に応じて、「ページ割付」の設定値（たとえば、４ページの資料の場合は２ｉｎ１、２０ページの資料の場合は４ｉｎ１）を変更する。それから、ユーザは、資料を試し印刷する。
【００５１】
ユーザは試し印刷された資料を確認し、必要に応じて内容を修正したのち、資料を最終印刷する。最終印刷では、ユーザは、まず、Ｍｙタブ画面において「スタンプ」の設定値が「社外秘」になっていることを確認する。次に、ユーザは、「ステープル」の設定値を「Ｏｎ」、「印刷種類」の設定値を「片面」、および「ページ割付」の設定値を「Ｏｆｆ」に変更する。そして、ユーザは、最終的に資料を印刷する。
【００５２】
以上のように、ユーザが会議資料を作成する印刷シーンでは、ユーザは、「スタンプ」、「ステープル」、「印刷種類」、および「ページ割付」の４つの設定項目がＭｙタブ画面に表示されるお気に入り設定を呼び出すことにより、操作画面を切替えることなく、設定項目の設定値を容易に変更することができる。そして、種々の印刷シーンに対応するように複数のＭｙタブ画面構成情報をお気に入り設定としてハードディスク１４等の記憶部に予め記憶させておけば、印刷シーンに応じて、ユーザが最適なお気に入り設定を呼び出すことにより、ユーザは、印刷条件を容易に設定することができる。
【００５３】
次に、図１２〜図１６を参照しつつ、ＰＣ１における印刷条件のお気に入り設定を保存する処理について説明する。なお、図１２のフローチャートにより示されるアルゴリズムは、ＰＣ１のハードディスク１４等の記憶部にプログラムとして記憶されており、ＣＰＵ１１によって実行される。
【００５４】
まず、印刷設定画面１００が表示される（ステップＳ２０１）。次に、設定項目の設定値の変更が受け付けられる（ステップＳ２０２）。本実施形態では、図１３Ａに示されるとおり、たとえば、ユーザはスタンプ／フォームタブ１０５を選択して操作画面を切替えて、「スタンプ」の設定値を「社外秘」に変更する。次に、図１３Ｂに示されるとおり、ユーザはレイアウトタブ１０２を選択して操作画面を切替えて、「ページ割付」および「印刷種類」の設定値をそれぞれ「２ｉｎ１」および「両面」に変更する。そして、図１３Ｃに示されるとおり、ユーザは仕上げタブ１０３を選択して操作画面を切替えて、「ステープル」の設定値を「左コーナー」に変更する。デフォルト値から設定値を変更するすべての設定項目に対して、ステップＳ２０２に示す処理が繰り返される。
【００５５】
次に、Ｍｙタブ画面に表示される設定項目が登録される（ステップＳ２０３）。本実施形態では、ユーザにより選択される設定項目がＭｙタブ画面に登録される。設定項目をＭｙタブ画面に登録する処理の詳細については後述する。なお、ステップＳ２０２とステップＳ２０３の実行順序は逆であってもよく、ステップＳ２０２とステップＳ２０３とが交互に繰り返し実行されてもよい。
【００５６】
次に、お気に入り設定の保存指示が受け付けられる（ステップＳ２０４）。本実施形態では、印刷設定画面１００の追加ボタン１０９がクリックされることにより、お気に入り設定の保存指示が受け付けられる。
【００５７】
次に、お気に入り設定の追加画面２００が表示される（ステップＳ２０５）。図１４に示されるとおり、お気に入り設定の追加画面２００は、入力ボックス２０１、チェックボックス２０２、およびＯＫボタン２０３を有する。入力ボックス２０１は、お気に入り設定の名称の入力を受け付けるためのものである。チェックボックス２０２は、現在の印刷設定画面１００の設定情報に加えてＭｙタブ画面構成情報をお気に入り設定として保存するか否かについてのユーザの選択を受け付けるためのものである。ＯＫボタン２０３は、終了指示を受け付けるためのものである。
【００５８】
そして、お気に入り設定の追加画面２００へのユーザ操作による入力が受け付けられる（ステップＳ２０６）。本実施形態では、入力ボックス２０１への入力、チェックボックス２０２への入力、またはＯＫボタン２０３への終了指示が受け付けられる。
【００５９】
次に、終了指示を受け付けたか否かが判断される（ステップＳ２０７）。終了指示を受け付けていない場合（ステップＳ２０７：ＮＯ）、終了指示を受け付けるまでステップＳ２０６以下の処理が繰り返される。一方、終了指示を受け付けた場合（ステップＳ２０７：ＹＥＳ）、お気に入り設定の名称が入力されているか否かが判断される（ステップＳ２０８）。お気に入り設定の名称が入力されてない場合（ステップＳ２０８：ＮＯ）、エラーメッセージが表示され（ステップＳ２０９）、お気に入り設定の名称が入力されるまで、ステップＳ２０６以下の処理が繰り返される。
【００６０】
一方、お気に入り設定の名称が入力されている場合（ステップＳ２０８：ＹＥＳ）、お気に入り設定として、現在の印刷設定画面１００の設定情報に加えてＭｙタブ画面構成情報を保存する指示があるか否かが判断される（ステップＳ２１０）。本実施形態では、チェックボックス２０２のＯｎ／Ｏｆｆを判定することにより、お気に入り設定としてＭｙタブ画面構成情報を保存する指示があるか否かが判断される。
【００６１】
Ｍｙタブ画面構成情報を保存する指示がある場合（ステップＳ２１０：ＹＥＳ）、Ｍｙタブ画面構成情報がお気に入り設定の機能情報登録リストに登録される（ステップＳ２１１）。そして、設定情報およびＭｙタブ画面構成情報を含むお気に入り設定の機能情報登録リストが保存される（ステップＳ２１２）。一方、Ｍｙタブ画面構成情報を保存する指示がない場合（ステップＳ２１０：ＮＯ）、Ｍｙタブ画面構成情報がお気に入り設定の機能情報登録リストに登録されることなく、お気に入り設定の機能情報登録リストが保存される（ステップＳ２１２）。そして、機能情報登録リストが登録リストボックスに登録され（ステップＳ２１３）、処理が終了される。
【００６２】
以上のとおり、図１２に示すフローチャートの処理によれば、印刷設定画面１００の現在の設定がお気に入り設定として保存される。このとき、ユーザの選択に基づいて、印刷設定画面１００の設定情報にＭｙタブ画面構成情報が関連付けて保存される。
【００６３】
なお、本実施形態では、お気に入り設定の保存時に、設定情報に加えてＭｙタブ画面構成情報を保存するか否かについてのユーザの選択を受け付けた。しかしながら、本実施形態とは異なり、お気に入り設定の保存時には設定情報とともにＭｙタブ画面構成情報を常に保存し、お気に入り設定の呼び出し時に、Ｍｙタブ画面構成を呼び出すか否かについてのユーザの選択を受け付けてもよい。あるいは、ユーザに選択させることなく、常にお気に入り設定としてＭｙタブ画面構成情報が保存および呼び出しされてもよい。
【００６４】
図１５は、図１２に示すフローチャートのステップＳ２０３に示す設定項目のＭｙタブ画面登録処理を説明するためのフローチャートである。なお、図１５のフローチャートにより示されるアルゴリズムは、ＰＣ１のハードディスク１４等の記憶部にプログラムとして記憶されており、ＣＰＵ１１によって実行される。
【００６５】
まず、Ｍｙタブ画面に登録される設定項目に対してユーザによる登録指示が受け付けられる（ステップＳ３０１）。本実施形態では、ユーザが、印刷設定画面１００の一般的な操作画面１０１〜１０７に表示される一の設定項目（たとえば、「スタンプ」）上でマウスを右クリックすることにより、登録指示が受け付けられる。
【００６６】
次に、Ｍｙタブ画面上における設定項目の位置をユーザに選択させるための左右選択メニューが表示される（ステップＳ３０２）。本実施形態では、図１６に示されるとおり、ユーザに位置を選択させるために、「ｔｏ  ｌｅｆｔ」および「ｔｏ  ｒｉｇｈｔ」を含むメニュー画面１１８が表示される。
【００６７】
次に、Ｍｙタブ画面上における設定項目の位置として左側が選択されたか否かが判断される（ステップＳ３０３）。本実施形態では、「ｔｏ  ｌｅｆｔ」がクリックされることにより、Ｍｙタブ画面上における設定項目の位置として左側が選択されことが判断される。Ｍｙタブ画面上における設定項目の位置として左側が選択された場合（ステップＳ３０３：ＹＥＳ）、ステップＳ３０１で選択された設定項目がＭｙタブ画面の左側に登録されて（ステップＳ３０４）、処理が終了される。一方、Ｍｙタブ画面上における設定項目の位置として左側が選択されない場合（ステップＳ３０３：ＮＯ）、ステップＳ３０１で選択された設定項目がＭｙタブ画面の右側に登録されて（ステップＳ３０５）、処理が終了される。
【００６８】
以上のとおり、図１５に示すフローチャートの処理によれば、ユーザにより選択された設定項目がＭｙタブ画面に登録される。ユーザによって上記処理が繰り返されることにより、複数の設定項目が登録され、Ｍｙタブ画面に集約して表示される。
【００６９】
そして、本実施形態の印刷条件設定装置および印刷条件設定方法によれば、ユーザは、複数のＭｙタブ画面構成情報をハードディスク１４等の記憶部に記憶させ、所望のＭｙタブ画面構成情報をお気に入り設定として呼び出すことにより、Ｍｙタブ画面に所望の設定項目を表示させることができる。したがって、ユーザは、タブを選択して操作画面を切替えることなく、Ｍｙタブ画面に表示される設定項目の設定値を変更することにより、印刷条件を容易に設定することができる。具体的には、ユーザは、従来よりも画面の切り替え分だけ少ない操作回数（クリック回数）で印刷条件を設定することができる。
【００７０】
また、本実施形態の印刷条件設定装置および印刷条件設定方法によれば、ユーザにより頻繁に設定値を変更する複数の設定項目がＭｙタブ画面に集約して表示されるため、お気に入り設定の数を少なくすることができる。したがって、お気に入り設定の一覧の中から、所望のお気に入り設定をユーザが容易に判別することができる。
【００７１】
本発明は、上記した実施形態のみに限定されるものではなく、特許請求の範囲内において、種々改変することができる。
【００７２】
たとえば、上記実施形態では、本発明の印刷条件設定装置としてＰＣを例に挙げて説明した。しかしながら、本発明はこれに限定されるものではなく、ＭＦＰ（Ｍｕｌｔｉ−Ｆｕｎｃｔｉｏｎ  Ｐｅｒｉｐｈｅｒａｌ）にも適用可能である。
【００７３】
また、上記実施形態では、ユーザにより選択された設定項目がＭｙタブ画面に登録された。しかしながら、設定項目をＭｙタブ画面に登録する方法は、上記実施形態に限定されるものではなく、ユーザの操作により設定項目の設定値がデフォルト値から変更されたか否かが判定され、設定値がデフォルト値から変更された設定項目がＭｙタブ画面に登録されてもよい。
【００７４】
また、上記実施形態では、設定項目の設定値を含む設定情報と関連付けてＭｙタブ画面の画面構成情報が保存された。しかしながら、設定情報とは無関係にＭｙタブ画面の構成情報のみがお気に入り設定として保存され、呼び出されてもよい。具体的には、複数のお気に入り設定の中から一のお気に入り設定が選択されれば、設定値は直前の値に維持されたまま、Ｍｙタブ画面に所望の設定項目が表示される。
【００７５】
本実施形態にかかる印刷条件設定装置における各種処理を行う手段および方法は、専用のハードウエア回路、またはプログラムされたコンピュータのいずれによっても実現することが可能である。上記プログラムは、たとえば、フレキシブルディスクおよびＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送され記憶される。また、上記プログラムは、単独のアプリケーションソフトとして提供されてもよいし、印刷条件設定装置の一機能としてその装置のソフトウエアに組み込んでもよい。
【図面の簡単な説明】
【００７６】
【図１】本発明の一実施形態にかかる印刷システムの全体構成を示すブロック図である。
【図２】図１に示されるＰＣの構成を示すブロック図である。
【図３】プリンタドライバがインストールされているＰＣのモジュール構成を示す図である。
【図４】プリンタドライバによってディスプレイに表示される印刷設定画面の一例を示す図である。
【図５】お気に入り設定として保存される情報の一例を示す図である。
【図６】図１に示されるプリンタの構成を示すブロック図である。
【図７】図１に示されるＰＣにおいて印刷条件のお気に入り設定を呼び出す処理を示すフローチャートである。
【図８】お気に入りリストが表示されている状態のＭｙタブ画面の一例を示す図である。
【図９】デフォルト設定のＭｙタブ画面の一例を示す図である。
【図１０】お気に入り設定が呼び出された状態のＭｙタブ画面の一例を示す図である。
【図１１】お気に入り設定が呼び出された状態のＭｙタブ画面の他の例を示す図である。
【図１２】図１に示されるＰＣにおいて印刷条件のお気に入り設定を保存する処理を示すフローチャートである。
【図１３Ａ】設定項目の設定値が変更されている印刷設定画面の一例を示す図である。
【図１３Ｂ】設定項目の設定値が変更されている印刷設定画面の一例を示す図である。
【図１３Ｃ】設定項目の設定値が変更されている印刷設定画面の一例を示す図である。
【図１４】プリンタドライバによってディスプレイに表示されるお気に入り設定の追加画面の一例を示す図である。
【図１５】図１２に示されるフローチャートにおけるステップＳ２０３の設定項目のＭｙタブ画面登録処理を示すフローチャートである。
【図１６】左右選択メニューが表示されている状態の印刷設定画面の一例を示す図である。
【符号の説明】
【００７７】
１  ＰＣ、
１１，２１  ＣＰＵ、
１２，２２  ＲＯＭ、
１３，２３  ＲＡＭ、
１４，２４  ハードディスク、
１５  ディスプレイ、
１６  入力装置、
１７，２７  通信インタフェース、
１８，２８  バス、
２  プリンタ、
２５  操作パネル、
２６  印刷部、
３  ネットワーク、
１００  印刷設定画面、
１０８  Ｍｙタブ、
１０９  追加ボタン、
１１０  リストボックス、
１１７  識別子、
２００  お気に入りの設定の追加画面。
【図１】
2010003120.tif 000003
【図２】
2010003120.tif 000004
【図３】
2010003120.tif 000005
【図５】
2010003120.tif 000006
【図６】
2010003120.tif 000007
【図７】
2010003120.tif 000008
【図１２】
2010003120.tif 000009
【図１５】
2010003120.tif 000010
【図４】
2010003120.tif 000011
【図８】
2010003120.tif 000012
【図９】
2010003120.tif 000013
【図１０】
2010003120.tif 000014
【図１１】
2010003120.tif 000015
【図１３Ａ】
2010003120.tif 000016
【図１３Ｂ】
2010003120.tif 000017
【図１３Ｃ】
2010003120.tif 000018
【図１４】
2010003120.tif 000019
【図１６】
2010003120.tif 000020